(57)【要約】【課題】壁パネル等が設置される分割フロア間の接続部の端部においても水漏れを防止し、止水性を向上させることのできる分割フロアの接続構造を提供すること。【解決手段】浴槽フロア１０のフランジ片１６と洗い場フロア２０の係合片２６を係合させて接続部１４で接続されたフロアＦを形成した。そして、接続部１４に直交する両側壁部１１ｂ，２１ｂの接合部の周縁部に係合用凹部を備えた接合片１８，２８を設け、この接合片１８，２８にカバー部材３０を取り付けて、カバー部材３０の表面と両側壁部１１ｂ，２１ｂの表面との連結される各部分の表面を、それぞれ略同一面内に位置させた。また、カバー部材３０における接合片１８，２８と接触する内面にシール材３４を取り付けた。さらに、カバー部材３０を、上面被覆部３１ａ、リブ被覆部３２、側面被覆部３３ａ等で構成し、側面被覆部３３ａ，３３ｂをねじ３５で接合片１８，２８の側面に固定した。【選択図】  図２
2004162392.tif 000002
【特許請求の範囲】
【請求項１】
周縁部に壁部が形成された複数の分割フロアの対向する壁部どうしを接続することによって床面を形成する分割フロアの接続構造であって、前記壁部どうしが接続された二つの分割フロアの接続部の端部における前記接続部に直交する両壁部の接合部の周縁部に沿って係合用凹部を設け、前記係合用凹部に取り付けられたときに、その表面と前記両壁部の表面との連結される各部分の表面が、それぞれ略同一面内に位置するように形成されたカバー部材を、前記係合用凹部に取り付けたことを特徴とする分割フロアの接続構造。
【請求項２】
前記カバー部材における前記係合用凹部が設けられた両壁部と接触する面にシール材を取り付けた請求項１に記載の分割フロアの接続構造。
【請求項３】
前記カバー部材が、前記係合用凹部が設けられた接合部の上面に係合する上面被覆部と、前記係合用凹部が設けられた接合部の側面に係合する側面被覆部とを備え、前記側面被覆部を固定部材で前記接合部の側面に固定した請求項１または２に記載の分割フロアの接続構造。
【請求項４】
前記係合用凹部が設けられた接合部の上面にリブが上方に向かって設けられ、前記カバー部材が、前記リブを被覆するリブ被覆部を備えた請求項１ないし３のうちのいずれか一つに記載の分割フロアの接続構造。
【請求項５】
前記カバー部材および壁部の上面に壁パネルが取り付けられる請求項１ないし４のうちのいずれか一つに記載の分割フロアの接続構造。
【発明の詳細な説明】
【０００１】
【発明の属する技術分野】
本発明は、浴室ユニット等の床面に用いられる分割フロアの接続構造に関する。
【０００２】
【従来の技術】
従来から、浴室ユニット等においては、複数の分割フロアを組み付けて接続することにより床面を構成する分割フロアの接続構造が用いられている（例えば、特許文献１参照）。この分割フロアの接続構造は、浴槽設置用の床パン単体と、洗い場部用の床パン単体とからなる分割フロアに、それぞれフランジ片を設け、このフランジ片を重ね合わせて、ボルトとナット又はねじで締め付けることにより、両分割フロアを接続している。
【０００３】
【特許文献１】
特開２０００−２６５５１８号公報
【０００４】
【発明が解決しようとする課題】
しかしながら、前述した従来の分割フロアの接続構造では、接続部の端部以外においてはフランジ片どうしを重ね合わせることによって止水性等を確保できるものの、接続部の端部においては止水性等を十分に確保することが難しいという問題がある。特に、特許文献１の公報に記載されているようにボルトの頭部またはナットがフランジ片の接続部の上部表面から突出する場合には、壁パネル等が載置される接続部の端部における接続構造が問題となる。
【０００５】
【発明の概要】
本発明は、上記問題に対処するためになされたもので、その目的は、壁パネル等が設置される分割フロア間の接続部の端部においても水漏れを防止し、止水性を向上させることができる分割フロアの接続構造を提供することである。
【０００６】
上記の目的を達成するため、本発明にかかる分割フロアの接続構造の構成上の特徴は、周縁部に壁部が形成された複数の分割フロアの対向する壁部どうしを接続することによって床面を形成する分割フロアの接続構造であって、壁部どうしが接続された二つの分割フロアの接続部の端部における接続部に直交する両壁部の接合部の周縁部に沿って係合用凹部を設け、係合用凹部に取り付けられたときに、その表面と両壁部の表面との連結される各部分の表面が、それぞれ略同一面内に位置するように形成されたカバー部材を、係合用凹部に取り付けたことにある。
【０００７】
前記のように構成した本発明の分割フロアの接続構造では、隣接する二つの分割フロアの接続部の端部において、接続部の長手方向と直交する両壁部の接合部の周縁部に沿って係合用凹部を設け、その係合用凹部にカバー部材を取り付けて各分割フロア間の接合部に凹凸が生じないようにしている。したがって、水漏れを防止して止水性を向上させることができると共に、壁パネルの下端面を凹凸のない平面状の接合部に載置することができる。
【０００８】
また、壁パネルに、特に、各分割フロアに取り付けるための加工を施すことなく、壁パネルの下端面と壁部の上端面とを密着状態で取り付けることができる。これによって、床面と壁面との間に隙間が生じなくなり、止水性を向上させることができる。
【０００９】
また、本発明にかかる分割フロアの接続構造の他の構成上の特徴は、カバー部材における係合用凹部が設けられた両壁部と接触する面にシール材を取り付けたことにある。これによると、二つの分割フロアの壁部の端面間の接合部がシール材によってシールされるため、両壁部間の接合部の止水性を一層向上させることができる。
【００１０】
また、本発明にかかる分割フロアの接続構造のさらに他の構成上の特徴は、カバー部材が、係合用凹部が設けられた接合部の上面に係合する上面被覆部と、係合用凹部が設けられた接合部の側面に係合する側面被覆部とを備え、側面被覆部を固定部材で接合部の側面に固定したことにある。これによると、カバー部材が、接合部の上面を被覆する上面被覆部と、接合部の側面を被覆する側面被覆部とを備えているため、両壁部における接合部の周囲をすべて被覆でき、止水性をより一層向上させることができる。また、カバー部材の側面被覆部と接合部の側面とを固定部材で固定するため、カバー部材や両壁部の上面には、凹凸が生じなくなる。この結果、カバー部材や両壁部の上面に壁パネル等を設置しやすくなる。
【００１１】
本発明にかかる分割フロアの接続構造のさらに他の構成上の特徴は、係合用凹部が設けられた接合部の上面にリブが上方に向かって設けられ、カバー部材が、リブを被覆するリブ被覆部を備えたことにある。これによると、各分割フロアの壁部の上面や接合部の上面に壁パネル設置用のリブが設けられていても、カバー部材に、このリブを被覆するためのリブ被覆部が設けられているため、接続される両分割フロアのリブの接合部から水が漏れることを防止できる。
【００１２】
本発明にかかる分割フロアの接続構造のさらに他の構成上の特徴は、カバー部材および壁部の上面に壁パネルが取り付けられることにある。これによると、カバー部材および壁部の上面を有効に利用することができる。この場合、カバー部材の上面と壁部の上面とが同一面内に位置する平面状になるため、壁パネルの取り付けが容易になる。
【００１３】
【発明の実施の形態】
以下、本発明の一実施形態を図面を用いて説明する。図１は、本発明にかかる分割フロアの接続構造を備えたフロアＦを示しており、このフロアＦは、浴槽フロア１０と洗い場フロア２０とで構成されている。浴槽フロア１０は、浴槽（図示せず）を設置するためのフロアで、周縁部に形成された周壁部１１が高く設定された深い防水パンで構成されている。そして、浴槽フロア１０の内部側底面の四隅には、浴槽を置くための設置部１２が設けられ、浴槽フロア１０の外部側底面の各角部近傍には、浴槽フロア１０および浴槽を支持するとともに、浴槽フロア１０の高さ調整を行うための支脚１３が設けられている。
【００１４】
洗い場フロア２０は、周縁部に形成された周壁部２１が低く設定された浅い防水パンで構成され、底面の一方に排水路に接続された排水口２２が設けられている。また、洗い場フロア２０の外部側底面の各角部近傍には、洗い場フロア２０を支持するとともに、洗い場フロア２０の高さ調整を行うための支脚２３が設けられている。そして、本発明にかかる分割フロアの接続構造は、浴槽フロア１０と洗い場フロア２０との接続部１４における両端部の近傍に設けられている。このうち、図１の二点鎖線Ａで囲った部分に位置する接続構造を図２に示している。
【００１５】
図２は、図３に示した浴槽フロア１０と洗い場フロア２０との対向する縁部どうしを組み付けて接続し、その接続部１４の端部側部分をカバー部材３０で被覆した状態を示している。図３に示すように、浴槽フロア１０における側壁部１１ａの上面部１５の外側縁部には、係合用のフランジ片１６が上方に向って設けられている。また、側壁部１１ａの内側面における角部側は曲面に形成されており、上面部１５は角部に近づくにしたがって幅が広くなるように設定されている。また、側壁部１１ａと側壁部１１ｂとの角部の上面部１５ａの高さは、上面部１５の高さと同じに設定され、上面部１５ａと上面部１５とは、同一面上に位置するように形成されている。
【００１６】
また、側壁部１１ｂの上面部１７は、フランジ片１６の上端部よりもやや高い位置に設定されている。そして、その上面部１７の幅方向の中央部に、上面部１７の長手方向に沿ったリブ１７ａが上方に向って設けられている。また、前述したように、側壁部１１ｂと側壁部１１ａとの角部内面は曲面に形成されており、側壁部１１ｂの厚みも角部に近づくにしたがって大きくなっている。したがって、上面部１７のリブ１７ａよりも内側の部分の幅は、角部に近づくにしたがって、上面部１７のリブ１７ａよりも外側の部分の幅よりも広くなる。
【００１７】
そして、上面部１７とリブ１７ａの上面部１５ａ側には、接合片１８が形成されている。接合片１８の断面形状は、上面部１７およびリブ１７ａが形成された側壁部１１ｂの上端部の端面形状と略同形で、その大きさは、前記端面の大きさよりも小さく設定されている。すなわち、接合片１８の上面部１８ａの高さは上面部１７の高さよりもやや低く設定され、接合片１８の上面部１８ａの幅は上面部１７の端面の幅よりもやや小さく設定されている。
【００１８】
また、上面部１８ａの上面から上方に向って設けられたリブ１８ｂの高さは、リブ１７ａの高さよりもやや低く設定され、リブ１８ｂの幅は、リブ１７ａの幅よりもやや小さく設定されている。そして、上面部１８ａの両側縁部からは、側面部１８ｃが下方に延びており、内側の側面部１８ｃは上面部１５に連結され、外側の側面部１８ｃ（図示せず）は上面部１５ａに連結されている。また、両側面部１８ｃの略中央には、ねじ穴１８ｄがそれぞれ設けられている。
【００１９】
洗い場フロア２０の浴槽フロア１０に対向する側壁部２１ａの外側には、フランジ片１６と係合する係合片２６が設けられている。この係合片２６と側壁部２１ａとの間には、下面が開放された幅狭の溝（図示せず）が形成されており、この溝内にフランジ片１６を差し込むことができる。この溝の幅は、フランジ片１６の厚みよりも僅かに大きくなるように設定されており、溝内にフランジ片１６を差し込んで係合片２６とフランジ片１６とを係合させることにより、本発明の接続部１４が構成される。
【００２０】
洗い場フロア２０の壁側（図示の上部側）の側壁部２１ｂにおける上面部２７の幅方向の中央部には、リブ１７ａと同形のリブ２７ａが、上面部２７の長手方向に沿い、かつ上方に向って設けられている。また、側壁部２１ｂと側壁部２１ａとの角部の内側面は曲面に形成されて、側壁部２１ｂの厚みは角部に近づくにしたがって大きくなっている。このため、上面部２７のリブ２７ａよりも内側の部分の幅は、角部に近づくにしたがって、上面部２７のリブ２７ａよりも外側の部分の幅よりも広くなっている。そして、側壁部２１ｂの浴槽フロア１０側の端部に接合片２８が形成されている。
【００２１】
接合片２８の断面形状は、接合片１８の断面形状と同形に設定されており、側壁部２１ｂの浴槽フロア１０側の端面形状は、側壁部１１ｂの上端部の端面形状と同形に設定されている。また、この側面部２８ｃの略中央部には、それぞれねじ穴２８ｄ（外側の側面部２８ｃのねじ穴２８ｄは図示せず）が設けられている。
【００２２】
このため、フランジ片１６と係合片２６とを係合させて、浴槽フロア１０と洗い場フロア２０とを組み付けると、接合片１８，２８の接合部は、図４に示した状態になる。すなわち、接合片２８は、浴槽フロア１０の角部における上面部１５ａの上面に位置して、接合片１８と接合片２８の先端面どうしが接合する。この場合、上面部１８ａと上面部２８ａとが同一面内に位置し、リブ１８ｂとリブ２８ｂとが同一面内に位置し、各側面部１８ｃとそれに対応する側面部２８ｃとが同一面内に位置するようになる。
【００２３】
カバー部材３０は、先端どうしが接合した接合片１８，２８の上面を被覆できる形状に形成されており、上面被覆部３１ａ，３１ｂ、リブ被覆部３２、側面被覆部３３ａ，３３ｂおよびそれらの各内面に沿って設けられたシール材３４とで構成されている。上面被覆部３１ａは幅が広く、上面被覆部３１ｂは幅が狭く設定されており、双方で上面部１８ａ，２８ａの上面を被覆する。リブ被覆部３２は、内部にリブ１８ｂ，２８ｂを差し込むことができるように断面形状がコ字状に形成されており、リブ１８ｂ，２８ｂの両側面および上面を包み込むようにして被覆する。そして、側面被覆部３３ａは、内側の側面部１８ｃ，２８ｃを被覆し、側面被覆部３３ｂは、外側の側面部１８ｃ，２８ｃを被覆する。
【００２４】
また、側面被覆部３３ａ，３３ｂには、それぞれ所定間隔を保って、本発明の固定部材である２個のねじ穴（図示せず）が設けられており、この各ねじ穴にねじ３５が取り付けられている。このカバー部材３０を接合片１８，２８に取り付けると、接続構造は、図２の状態になる。このカバー部材３０による接合片１８，２８の被覆によって、接合片１８，２８の接合部の水漏れを防止して止水性を向上させることができる。
【００２５】
この構成において、浴槽フロア１０と洗い場フロア２０との接続は、つぎのようにして行われる。まず、浴槽フロア１０を設置し、ついで、側壁部１１ａと側壁部２１ａとを対向させて浴槽フロア１０の隣に洗い場フロア２０を設置して、フランジ片１６と係合片２６とを係合させる。これによって、図４に示したように、浴槽フロア１０と洗い場フロア２０との接続部分には、接続部１４が形成されるとともに、接合片１８，２８の各端面は接合した状態になる。
【００２６】
つぎに、接合片１８，２８の接合部分、側面部２８ｃと上面部１５との接合部分および係合片２６と上面部１５との接合部分に、それぞれシリコンからなるシール剤を塗布して各接合部分を隙間のない状態にする。そして、接合片１８，２８の上にカバー部材３０を取り付ける。この場合、リブ被覆部３２内に、リブ１８ｂ，２８ｂを差し込ませるようにして、カバー部材３０を接合片１８，２８に押し付ける。そして、カバー部材３０で接合片１８，２８を被覆した状態にしたのちに、ねじ３５によって、カバー部材３０を接合片１８，２８に固定して、図１および図２に示した接続構造が形成される。
【００２７】
また、前述したフロアＦに、壁パネルを取り付ける場合には、上面部１７，２７におけるリブ１７ａ，２７ａの内側部分に、壁パネルの下端面を載置する。この場合、カバー部材３０の上面被覆部３３ａ，３３ｂの上面が上面部１７，２７と同一面内にあるため、パネルの取り付けが容易に行える。そして、図示しない天井パネル等を設置した後に、各支脚２３を調節することにより、浴槽フロア１０や洗い場フロア２０の水平調整を行う。
【００２８】
このように、本実施形態による分割フロアの接続構造では、端面どうしを接合させた接合片１８，２８にカバー部材３０を取り付けると、カバー部材３０を構成する各部分の表面と、その各部分の表面と隣り合う上面部１７，２７およびリブ１７ａ，２７ａとがそれぞれ同一面内に位置するようになる。したがって、浴槽フロア１０と洗い場フロア２０との間の接合部に凹凸が生じなくなり、壁パネル等の取り付けが容易になる。
【００２９】
また、接合片１８，２８間には、シリコンのシール剤が塗布されているとともに、接合片１８，２８を被覆するカバー部材３０の内面には、シール材３４が取り付けられているため、接合片１８，２８間からの水漏れを確実に防止し、止水性を向上させることができる。また、接続部１４もフランジ片１６と係合片２６との係合により水漏れが防止されるとともに、係合片２６と上面部１５との間にもシリコンのシール剤が塗布されているため、止水性を向上させることができ、これによって、浴槽フロア１０と洗い場フロア２０とのすべての接続部で、十分な止水性を確保することができる。
【００３０】
また、前述した実施形態の各部分の構成については、適宜、変更実施が可能である。例えば、側壁部１１ｂ，２１ｂの上端部における上面部１７，２７やリブ１７ａ，２７ａの形状は、適宜設計変形が可能であり、その場合、カバー部材３０の形状もそれに合わせて接合部を被覆できる形状に変更することができる。また、前述した実施形態では、複数の分割フロアを浴槽フロア１０と洗い場フロア２０との２個の分割フロアで構成したが、本発明の接続構造は、２個以上の分割フロアで構成される床面で使用することもできる。また、浴室以外の部分で使用される床面に使用することもできる。
【図面の簡単な説明】
【図１】本発明の一実施形態による分割フロアの接続構造を備えたフロアを示す斜視図である。
【図２】浴槽フロアと洗い場フロアとの接続構造の要部を示す斜視図である。
【図３】分割フロアの接続構造を分解した状態を示す分解斜視図である。
【図４】浴槽フロアと洗い場フロアとを接合させた状態を示す斜視図である。
【符号の説明】
１０…浴槽フロア、１１，２１…周壁部、１１ａ，１１ｂ，２１ａ，２１ｂ…側壁部、１４…接続部、１６…フランジ片、１７，１８ａ，２７，２８ａ…上面部、１７ａ，１８ｂ，２７ａ，２８ｂ…リブ、１８，２８…接合片、１８ｃ，２８ｃ…側面部、２０…洗い場フロア、２６…係合片、３０…カバー部材、３１ａ，３１ｂ…上面被覆部、３２…リブ被覆部、３３ａ，３３ｂ…側面被覆部、３４…シール材、３５…ねじ。
【図１】
2004162392.tif 000003
【図２】
2004162392.tif 000004
【図３】
2004162392.tif 000005
【図４】
2004162392.tif 000006